(57)【要約】【課題】  凹部を有するカードモジュールが取り付けられる電気コネクタを具備する電気コネクタを提供すること。【解決手段】  本発明の電気コネクタは、スロットを有する基部と、基部に収容される導電端子と、基部の一対の対向する末端に定位するアーム部と、凹部に対応する保持部と、保持部と基部との間に設置され、導入面を有する係合部と、を備える。その中で、保持部は、係合部に相隣接する。カードモジュールが回転して移動する時、保持部の側辺がカードモージュールの底面に接触して下向きに回転することを阻止し、導入面がカードモジュールの側辺に接触する時、アーム部が外に広がる。【選択図】  図１
2006134859.tif 000002
【特許請求の範囲】
【請求項１】
凹部を有するカードモジュールが取り付けられる電気コネクタにおいて、
スロットを有する基部と、
基部に収容される導電端子と、
基部の一対の末端に定位するアーム部と、
凹部に対応する保持部と、
保持部と基部との間に設置され、導入面を有し、保持部に相隣接する係合部と、を備え、
前記カードモジュールは、取付時、下向きに回転すると、保持部の側辺がカードモージュールの底面に接触して、下向きに回転することが阻止され、導入面がカードモジュールの側辺に接触すると、アーム部が外に広がることを特徴とする電気コネクタ。
【請求項２】
前記保持部は、頂面を有し、導入面は、頂点を含み、該頂面と頂点が同じ高さであり、該高さは導入面の他の部分の高さより高いことを特徴とする、請求項１に記載の電気コネクタ。
【請求項３】
前記アーム部は、保持部をシールドするシールド片を含む金属体と、樹脂体と、を有することを特徴とする、請求項２に記載の電気コネクタ。
【請求項４】
前記金属体は、係合部をカバーする導入片を含むことを特徴とする、請求項３に記載の電気コネクタ。
【請求項５】
前記シールド片は、頂面を有し、導入片は頂点を有し、該頂面と導入片の頂点は、同じ高さであることを特徴とする、請求項４に記載の電気コネクタ。
【請求項６】
前記シールド片は、保持部の頂部をシールドすることを特徴とする、請求項５に記載の電気コネクタ。
【請求項７】
前記保持部には、凹槽が形成されることを特徴とする、請求項１に記載の電気コネクタ。
【請求項８】
前記シールド片は、保持部の上方をカバーすることを特徴とする、請求項５に記載の電気コネクタ。
【請求項９】
前記金属体には、金属体と樹脂体を連接する連接部が設けられ、該連接部には、回路基板に半田付けされる半田片が設置されることを特徴とする、請求項３に記載の電気コネクタ。
【請求項１０】
前記保持部は、カードモジュールの側辺の相応する凹部に収容され、係合部がカードモジュールの頂面に係合することを特徴とする、請求項１に記載の電気コネクタ。
【発明の詳細な説明】
【技術分野】
【０００１】
本発明は電気コネクタに関し、特に、カードモジュールを予期した位置に挿入するための電気コネクタに関するものである。
【背景技術】
【０００２】
従来の電気コネクタは、通常、縦長のスロットが形成される基部と、該スロットの側部に固定される複数の端子と、及び基部の互いに対向する末端に定位する一対のアーム部と、を備える。各アーム部は、前記基部と一体になる樹脂体と、金属体と、を有する。樹脂体には、係合部が設置される。金属体には、前記本体に定位し、且つ係合部に対応する導入部が設けられる。カードモジュールが下に回転可能に取り付けられる時、係合部の損傷を防止できる。
【０００３】
ところが、カードモジュールは、下向きに回転して、予期した位置に到達しないと、相変わらず電気コネクタの導入部に接触する。そして、該導入部によって、電気コネクタの各アーム部は、外側に延伸され、水平位置でカードモジュールと係合する。そうすると、該カードモジュールは、たとえ予期した位置に挿入されなくても、水平位置に係合する可能性がある。したがって、良好な信号伝送を現実のものとしにくいだけでなく、伝送不良の原因を見つけにくい。たとえ伝送不良の原因が見つかっても、該電気コネクタを新たに取り付けることは、時間と労力を損耗する。
【０００４】
従って、前記の欠点を克服するために新たな電気コネクタを構成することが必要である。
【特許文献１】中国特許第５２５０１１９７Ｙ号明細書
【発明の開示】
【発明が解決しようとする課題】
【０００５】
本発明は、凹部を有するカードモジュールが取り付けられる電気コネクタを提供する。
【課題を解決するための手段】
【０００６】
本発明の電気コネクタは、スロットを有する基部と、基部に収容される導電端子と、基部の一対の対向する末端に定位するアーム部と、凹部に対応する保持部と、保持部と基部との間に設置され、導入面を有する係合部と、を備える。その中で、保持部は、係合部に相隣接する。カードモジュールが回転して移動する時、保持部の側辺がカードモージュールの底面に接触して下向きに回転することを阻止し、導入面がカードモジュールの側辺に接触する時、アーム部が外に広がることを特徴とする電気コネクタ。
【発明の効果】
【０００７】
従来技術に比べ、本発明は以下の長所がある。前記保持部が、係合部に相隣接するように設置されることによって、カードモジュールは、予期した位置に挿入されないと、下に回転する時、保持部に阻止される。そして、該カードモジュールが水平位置に到達しない。
【発明を実施するための最良の形態】
【０００８】
図１〜図６を参照すると、本発明の電気コネクタ５は、基部１と、該基部１と収容される複数の導電端子２と、基部１の対向する末端に定位されるアーム部３と、を有する。
【０００９】
図１を参照すると、電気コネクタ５は、基部１と、収容槽６と、を備える。該基部１は、縦長方向に沿って設けられるスロット１０と、スロット１０の上側と下側に収容される導電端子２と、を有する。電気コネクタ５の収容槽６に挿入されるカードモジュール４は、挿入部４０と、底面４３と、頂面４４と、一対の側辺４１と、を含む。該対の側辺４１には、内側辺４２０を有する凹部４２が形成される。
【００１０】
図２、図３、及び図４を参照すると、アーム部３は、基部１に一体になる樹脂体３０と、樹脂体３０に取り付けられる金属体３１と、を有する。樹脂体３０は、弾性アーム３００と、係合部３０１と、保持部３０２と、を含む。弾性アーム３００は、一端が基部１に一体になり、他端が該係合部３０１に隣接する保持部３０２と、が設置される。係合部３０１は、保持部３０２と基部１との間に位置し、かつ、頂面３０１０と、頂点３０１１０を有する導入面３０１１と、カードモジュールが予期位置に定位する係合面３０１２と、を備える。前記保持部３０２には、凹槽３０２１と、頂面３０２０が設けられる。該頂面３０２０は、導入面３０１１の頂点３０１１０と、同じ高さであり、導入面３０１１の他の部分より高い。頂面３０２０には、凹槽３０２１が形成される。金属体３１は、本体部３１０と、本体部３１０の一端に設置される連接部３１１と、保持部３０２をシールドするシールド片３１７と、本体部３１０の他端に設けられる外保持片３１４と内保持片３１５と、前記連接部３１１と保持片３１４、３１５との間に設置される導入片３１６と、を備える。シールド片３１７は、保持部３０２をカバーする。前記金属体と樹脂体を連接する連接部３１１の一端には、回路基板に半田付けされる半田片３１３が延設され、他端には、基部３に挿入される延伸部３１２が延設される。外保持片３１４は、本体部３１０の一端の下側から延設する。内保持部３１５は、内側に伸びて下に延伸する。導入片３１６は、本体部３１０の上側から下に延設し、係合部３０１に係合し、凹槽３０２１に収容され、且つ、該係合部３０１に伴って、一体に移動する。該導入片３１６は、係合部３０１上をシールドする。シールド片３１７は、導入片３１６に相隣接するように設けられる。該シールド片は、頂面を有し、導入片は、頂点を有する。該シールド片の頂面と導入片の頂点は、同じ高さである。また、該シールド片３１７は、保持部３０２の頂部をシールドする。
【００１１】
図１、図５、及び図６を参照すると、カードモジュール４は、電気コネクタ５への取付時、挿入部４０が、基部1のスロット１０に挿入され、従って、カードモジュール４は、下向きに回転して移動する。挿入部４０が、予期した位置に到達しない場合、底面４３は、シールド片３１７に接触し、該シールド片３１７の阻止によって、側辺４１が導入片３１６に接触せずに、アーム部３が両側に広がられない。そして、カードモジュール４が連続して下向きに回転できない。しかし、カードモジュール４は、予期した位置に到達した場合、側辺４１が導入片３１６に接触し、該導入片３１６によって、下向きに回転する。同時に、側辺４１は、凹部４２によって、シールド片３１７を越し、アーム部３を外に押圧する。カードモジュール４が、水平な状態になる時、側辺４１が、導入片３１６と係合部３０１から脱出する。係合面３０１２が、頂面４４に接触し、保持部３０２が、カードモジュール４の凹部４２に嵌合する。
【００１２】
概して、本発明の多数の特徴及び長所など、その構造及び機能を共に前述してきた。また前記説明は、本発明に基づきなし得る細部の修正或は変更など、いずれも本発明の請求範囲に属するものである。
【産業上の利用可能性】
【００１３】
本発明は電気コネクタに関し、特に、凹部を有するカードモジュールを取り付けるための電気コネクタに関するものである。
【図面の簡単な説明】
【００１４】
【図１】本発明の電気コネクタ、及びカードモジュールの斜視図である。
【図２】本発明の電気コネクタのアーム部の拡大図である。
【図３】本発明の電気コネクタのアーム部の分解拡大図である。
【図４】本発明の電気コネクタのアーム部の他の分解拡大図である。
【図５】カードモジュールが電気コネクタに挿入状態の斜視図である。
【図６】カードモジュールが電気コネクタに組合図である。
【符号の説明】
【００１５】
１  基部
２  導電端子
３  アーム部
４  カードモジュール
５  電気コネクタ
６  収容槽
１０  スロット
３０  樹脂体
３１  金属体
４０  挿入部
４１  側辺
４２  凹部
４３  底面
３００  弾性アーム
３０１  係合部
３０２  保持部
３１０  本体部
３１１  連接部
３１２  延伸部
３１３  半田片
３１４  外保持片
３１５  内保持片
３１６  導入片
３１７  シールド片
４２０  内側辺
３０１０、３０２０、３１７０  頂面
３０１１  導入面
３０１２  係合面
３０２１  凹槽
３１６０、３０１１０  頂点
【図１】
2006134859.tif 000003
【図２】
2006134859.tif 000004
【図３】
2006134859.tif 000005
【図４】
2006134859.tif 000006
【図５】
2006134859.tif 000007
【図６】
2006134859.tif 000008